(57)【特許請求の範囲】
【請求項１】
発射装置によりメダルを発射させてゲームを行うメダルゲーム装置であって、
前記発射装置は、メダルを縦置きで装填する発射部と、発射部に装填されたメダルを押し出して発射する押出し手段とを有し、
前記発射部には、前記押出し手段によりメダルが押し出される際に、発射部に装填されたメダルを押し付ける押付け手段が設けられ、
前記押付け手段は、前記発射部の上部に、メダルの上部を押圧して前記発射部の下部にメダルの下部を押付け可能に設けられ、
前記発射部の下部には、前記押付け手段によって押付けられたメダルの滑りを防止する滑り止め手段が設けられ、
前記メダルは、前記押付け手段を乗り越えて発射されることを特徴とするメダルゲーム装置。
【請求項２】
発射装置によりメダルを発射させてゲームを行うメダルゲーム装置であって、
前記発射装置は、メダルを縦置きで装填する発射部と、発射部に装填されたメダルを押し出して発射する押出し手段とを有し、
前記発射部には、前記押出し手段によりメダルが押し出される際に、発射部に装填されたメダルを押し付ける押付け手段が設けられ、
前記押付け手段は、前記発射部の下部に、メダルの下部を押圧して前記発射部の上部にメダルの上部を押付け可能に設けられ、
前記発射部の上部には、前記押付け手段によって押付けられたメダルを滑らせる滑り手段が設けられ、
前記メダルは、前記押付け手段を乗り越えて発射されることを特徴とするメダルゲーム装置。
【請求項３】
発射装置によりメダルを発射させてゲームを行うメダルゲーム装置であって、
前記発射装置は、メダルを縦置きで装填する発射部と、発射部に装填されたメダルを押し出して発射する押出し手段とを有し、
前記発射部には、上部または下部に、押付け手段が設けられ、
前記押付け手段が、前記発射部の上部に設けられる場合には、前記押出し手段によりメダルが押し出される際に、発射部に装填されたメダルの上部を押圧して前記発射部の下部にメダルの下部を押し付け可能とされ、
前記押付け手段が前記発射部の下部に設けられる場合には、前記押出し手段によりメダルが押し出される際に、発射部に装填されたメダルの下部を押圧して前記発射部の上部にメダルの上部を押し付け可能とされ、
前記押付け手段は、スプリングによりメダル押付け方向に付勢された押付けローラとされ、
前記スプリングは、押付けローラの押付け力を可変に取付け位置可変にされ、
前記メダルは、前記押付けローラを乗り越えて発射されることを特徴とするメダルゲーム装置。
【請求項４】
請求項１または２において、
前記押付け手段は、スプリングによりメダル押付け方向に付勢された押付けローラとされ、
前記スプリングは、押付けローラの押付け力を可変に取付け位置可変にされていることを特徴とするメダルゲーム装置。
【発明の詳細な説明】
【０００１】
【発明の属する技術分野】
本発明は、メダルゲーム装置に関し、特に、メダルを用いてターゲットをシュートするメダルゲーム装置に関する。
【０００２】
【背景技術及び発明が解決しようとする課題】
一般に、ゲーム装置においては、メダルを用いてゲームを行うメダルゲーム装置が知られている。
【０００３】
このようなメダルゲーム装置としては、例えば、メダルをゲームフィールド内で押し合わせてメダルを落下させるようなプッシャーゲームを行うようにしたものがある。
【０００４】
このようなメダルゲーム装置では、傾斜させて設けたレールを転動・通過させてメダルをゲームフィールド内に送り込むようにしている。
【０００５】
しかし、レールを用いてメダルを送り込むだけでは、メダルの方向性が決まらず、運まかせになってしまい、単にメダルをゲームフィールド内に入れるだけとなってしまい、面白みが少なく、ゲーム性に欠けるという問題がある。
【０００６】
本発明の目的は、メダルを直進させて方向性を出すことができ、狙いを定めてゲーム性を高めることのできるメダルゲーム装置を提供することにある。
【０００７】
【０００８】
【０００９】
【００１０】
【００１１】
【課題を解決するための手段】
前記目的を達成するため、本発明のメダルゲーム装置は、発射装置によりメダルを発射させてゲームを行うメダルゲーム装置であって、
前記発射装置は、メダルを縦置きで装填する発射部と、発射部に装填されたメダルを押し出して発射する押出し手段とを有し、
前記発射部には、前記押出し手段によりメダルが押し出される際に、発射部に装填されたメダルを押し付ける押付け手段が設けられ、
前記押付け手段は、前記発射部の上部にメダルの上部を押圧して前記発射部の下部にメダルの下部を押付け可能に設けられ、
前記発射部の下部には、前記押付け手段によって押付けられたメダルの滑りを防止する滑り止め手段が設けられ、
前記メダルは、前記押付け手段を乗り越えて発射されることを特徴とする。
【００１２】
本発明によれば、発射装置に設けられた押出し手段にて発射部に装填されたメダルを押し出す際に、発射部に装填されたメダルの上部または下部を押付け手段にて押しつけることで、押出し手段による押出し力をため込んだ状態とし、押付け手段を乗り越えてメダルが発射されることで、メダルに十分な回転力を与え、メダルを弾のように直進させて方向性を出すことができ、ターゲットに狙いを定めてシュートすることができ、メダルゲームにターゲットを狙う楽しみを付加して、ゲーム性を向上させることができる。
【００１３】
また、このようにメダルで狙いを定めることができることにより、種々のメダルゲーム装置でターゲットを定めて楽しむことが可能となる。
【００１４】
この場合、前記押付け手段は、前記発射部の上部に設けられ、
前記発射部の下部には、メダルの滑りを防止する滑り止め手段が設けられる。
【００１５】
そして、発射部の下部に設けられた滑り止め手段によってメダルの下部の滑りを防止しながら、上部に設けられた押しつけ手段を乗り越えてメダルが発射されることで、メダルにドライブ回転を付与して直進性を高めることができる。
【００１６】
【００１７】
本発明の他のメダルゲーム装置は、発射装置によりメダルを発射させてゲームを行うメダルゲーム装置であって、
前記発射装置は、メダルを縦置きで装填する発射部と、発射部に装填されたメダルを押し出して発射する押出し手段とを有し、
前記発射部には、前記押出し手段によりメダルが押し出される際に、発射部に装填されたメダルを押し付ける押付け手段が設けられ、
前記押付け手段は、前記発射部の下部にメダルの下部を押圧して前記発射部の上部にメダルの上部を押付け可能に設けられ、
前記発射部の上部には、前記押付け手段によって押付けられたメダルを滑らせる滑り手段が設けられ、
前記メダルは、前記押付け手段を乗り越えて発射されることを特徴とする。
本発明によれば、発射部の上部に設けられた滑り手段によってメダル上部を滑らせながら下部に設けられた押付け手段を乗り越えてメダルを発射することで、メダルにドライブ回転を付与して直進性を高めることができる。
他の作用、効果は、前記発明と同様である。
【００１８】
【００１９】
本発明のさらに他のメダルゲーム装置は、発射装置によりメダルを発射させてゲームを行うメダルゲーム装置であって、
前記発射装置は、メダルを縦置きで装填する発射部と、発射部に装填されたメダルを押し出して発射する押出し手段とを有し、
前記発射部には、上部または下部に、押付け手段が設けられ、
前記押付け手段が、前記発射部の上部に設けられる場合には、前記押出し手段によりメダルが押し出される際に、発射部に装填されたメダルの上部を押圧して前記発射部の下部にメダルの下部を押し付け可能とされ、
前記押付け手段が前記発射部の下部に設けられる場合には、前記押出し手段によりメダルが押し出される際に、発射部に装填されたメダルの下部を押圧して前記発射部の上部にメダルの上部を押し付け可能とされ、
前記押付け手段は、スプリングによりメダル押付け方向に付勢された押付けローラとされ、
前記スプリングは、押付けローラの押付け力を可変に取付け位置可変にされ、
前記メダルは、前記押付けローラを乗り越えて発射されることを特徴とする。
本発明によれば、押付けローラを乗り越えたメダルは、押付けローラを付勢しているスプリングにより前方に押し出されて回転力及び直進性をより向上させることができる。
【００２０】
【００２１】
また、押付けローラの押付け力調整によりメダルの発射スピードを調整することができる。
他の作用、効果は、前記各発明と同様である。
【００２２】
【００２３】
【００２４】
【００２５】
【００２６】
【００２７】
【００２８】
【００２９】
【００３０】
【００３１】
【００３２】
【００３３】
【００３４】
【発明の実施の形態】
以下、本発明の好適な実施の形態について、図面を参照して詳細に説明する。
【００３５】
図１〜図７は、本発明のメダルゲーム装置の一実施の形態を示す図である。
【００３６】
このメダルゲーム装置１０は、図１に示すように、筐体１２の手前側にメダル１４の発射装置１６が配設され、その前方には、ターゲットを表示する反射板としてのハーフミラー１８が配設され、ハーフミラー１８の下方には、発射装置１６側からハーフミラー１８の奥へとつながるメダル走行面２０が配設されている。
【００３７】
発射装置１６は、図３及び図４に示すように、銃の形状を模したもので、グリップ部２２と、発射部２４と発射走行部２６と、メダル装填部２８とを有している。
【００３８】
グリップ部２２は、手で把持しやすい形状とされており、このグリップ部２２を握った状態で狙いを定めるようになっている。
【００３９】
発射部２４は、メダル１４を縦置きで装填するようになっており、この発射部２４の後側には、発射部２４に装填されたメダル１４を押し出して発射する押出し手段３０が設けられている。
【００４０】
この押出し手段３０は、押出し部３２と、引き金部３４が一体に形成された状態となっており、ピン３６を中心に回転可能に取り付けられているとともに、押出し部３２側でスプリング３８を介し後方に付勢された状態となっている。
【００４１】
そして、引き金部３４を矢印Ａ方向に引くことによってスプリング３８の付勢力に抗し、押出し部３２が図中Ｂ方向に移動してメダル１４を押し出すようになっている。
【００４２】
また、発射部２４には、上部に押付け手段としての押付けローラ４０が設けられ、下部にはメダル１４の滑りを防止する滑り止め手段として滑り止めゴム４２が設けられている。
【００４３】
押付けローラ４０は、ピン４４を介して上下方向に回転可能に取り付けられており、スプリング４６を介して下方に付勢された状態となっている。
【００４４】
滑り止めゴム４２は、押付けローラ４０と対応する位置に配設され、メダル１４の上部が押付けローラ４０と接触している際に、メダル１４の下部と接触してメダル１４の下部が滑って動かないようにしている。
【００４５】
そして、押出し手段３０によってメダル１４が押付けローラ４０位置まで押し出されると、メダル１４の上部が押付けローラ４０に押し付けられ、押出し手段３０による押出し力をため込む状態となり、さらに押出し手段３０によってメダル１４が押し出されると、スプリング４６の付勢力に抗し、押付けローラ４０がピン４４を中心に上方に押し上げられ、メダル１４が押付けローラ４０を乗り越えて勢いよく発射されるようになっている。
【００４６】
この場合、メダル１４の下部は滑り止めゴム４２と接触して滑らない状態となっているため、メダル１４は図中矢印Ｃ方向にドライブ回転を行い、直進走行可能に発射されることとなる。
【００４７】
また、メダル１４が押付けローラ４０を乗り越えると、スプリング４６の付勢力により押付けローラ４０がメダル１４の後部側を押し付けるように作用するため、メダル１４により強い回転力が付与されることとなる。
【００４８】
この押付けローラ４０は、図示せぬが、発射部２４の下部側に設けることも可能である。
【００４９】
この場合、押付けローラ４０と対応する発射部２４の上部側には、メダル１４の上部を滑らせる滑り手段を設けるようにすると良い。
【００５０】
このようにすることで、押出し手段３０がメダル１４を押し出す際に、メダル１４の下部が押付けローラ４０によって押し付けられ、上部が滑ることとなるため、前記実施の形態と同様に、メダル１４は図中Ｃ方向にドライブ回転をして直進可能な状態とすることができる。
【００５１】
さらに、押付けローラ４０は、複数、例えば３つの取付ピン４８のいずれかにスプリング４６の取付け位置を変えることによって、メダル１４に対する押付け力を可変にされ、ゲーム内容に応じメダル１４の発射速度を可変にしている。
【００５２】
発射走行部２６は、発射部２４から発射されたメダル１４を走行可能に、所定の長さに設定されている。
【００５３】
メダル装填部２８は、発射部２４の側方に突出して設けられ、複数枚のメダル１４を装填可能にされている。
【００５４】
また、装填されたメダル１４は、スプリング５１にて発射部２４側へ押圧され、発射部２４に対しメダル１４を自動装填しうるようにされている。
【００５５】
ハーフミラー１８は、図２に示すように、ハーフミラー１８の上方に画面を下方に向けて配設したディスプレイ５０の画面を反射表示するようになっている。
【００５６】
このディスプレイ５０の画面には、ターゲットが表示され、このターゲットがハーフミラー１８に反射してプレーヤ５２に向けて表示されるようになっている。
【００５７】
また、ハーフミラー１８の裏側には、照明５３が設けられ、ハーフミラー１８の下端位置を通過したメダル１４がハーフミラー１８を透過して視認できるようにし、メダル１４がハーフミラー１８上に表示されたターゲットにあたかも当たっているかのような演出を行うようになっている。
【００５８】
メダル走行面２０は、発射装置１６側からハーフミラー１８側にかけて徐々に下降傾斜するような状態で設けられており、ハーフミラー１８の下端とメダル走行面２０との間にはメダル１４が通過可能な隙間５４が設けられている。
【００５９】
メダル走行面２０には、ハーフミラー１８の裏側で、終端位置にメダル１４の通過位置を検出する検出手段５６が設けられている。
【００６０】
この検出手段５６は、本実施の形態では、複数のマイクロスイッチとされ、メダル１４が通過する際に接触して通過位置が検出されるようになっている。
【００６１】
また、通過後のメダル１４は、スロープ５８を介してホッパ６０に収納され、ホッパ６０から返却ボックス６２へと返却され、そこからプレーヤ５２の手元へと搬送されるようになっている。
【００６２】
なお、ホッパ６０において、余剰のメダル１４は収納ボックス６４へと収納されるようになっている。
【００６３】
図５には、本実施の形態に係るメダルゲーム装置１０の機能ブロック図を示している。
【００６４】
このメダルゲーム装置１０は、検出手段５６と、制御部６６と、ディスプレイ５０とを有している。
【００６５】
検出手段５６は、発射装置１６から発射したメダル１４がメダル走行面２０上を走行して通過した際のメダル１４の通過位置を検出するようになっている。
【００６６】
制御部６６は、メダルゲーム装置１０全体の制御を行うようになっている。
【００６７】
例えば、制御部６６は、ゲーム結果を判定する結果判定部６８と、結果演算部７０とを有している。
【００６８】
そして、ディスプレイ５０にターゲットを有するゲーム画面を表示させ、ハーフミラー１８に反射表示されたターゲット１４を狙って発射したメダル１４の検出部５６による検出位置と、ターゲットの位置とが一致しているかどうかを結果判定部６８で判定し、ターゲットの破壊映像をディスプレイ５０に表示させると共に、ゲーム結果を結果演算部７０で演算処理してディスプレイ５０に表示させるようになっている。
【００６９】
また、ゲームの状況に応じて、適宜スピーカ等から効果音を出力させるようになっている。
【００７０】
ディスプレイ５０は、制御部６６の指示によりゲーム画面を表示するようになっている。
【００７１】
次に、このゲーム画面の一例を、図６及び図７に示す。
【００７２】
図７は、第１のゲームの画面を示しており、この第１のゲームでは、空中に浮遊している風船７２と、その風船７２を守るべく活動している雑魚キャラクタ７４がターゲットのゲームとなっている。
【００７３】
風船７２は破壊すれば大量メダルの獲得が可能で、画面中央で浮遊しながら徐々に自然落下している。
風船７２を守るべく活動している雑魚キャラクタ７４は５体いて、風船７２が落下しないように風を吹き付けて舞い上がらせようとしている。
【００７４】
各雑魚キャラクタ７４は、胸に針式のルーレットをつけており、破壊した瞬間の針の位置に応じてメダルを払い出すようになっている。
【００７５】
プレーヤが風船７２を獲得するためには、まず、風船７２を着地させるために、風を吹こうとしている雑魚キャラクタ７４をメダル１４で狙って破壊し、そして、着地した風船７２をメダル１４で破壊するという手段を踏むようになっている。
【００７６】
図７は、第２のゲームの画面を示しており、この第２のゲームでは、同図（１）に示すノーマルゲームと、同図（２）に示すボーナスゲームとがある。
【００７７】
ノーマルゲームでは、画面上のランダムな３カ所の位置に「空間の穴」が出現し、その穴からキャラクタ７６が出現する。
【００７８】
キャラクタ７６はトランプのようなカード状の姿をしており、１つの穴につき５体のキャラクタ７６が横一列に連なって出現する。
【００７９】
各キャラクタ７６のサイズは、第１のゲームの雑魚キャラクタ７４よりも小さく、メダル１４が当たりにくいようになっている。
【００８０】
各キャラクタ７６には、０〜７の数字、または「☆」が書かれている。
【００８１】
また、１つの穴から出現する５体の組み合わせには法則があり、必ず「☆」が１体、「０」が２体、残りの２体は合計が８になる数字の組み合わせになっており、並び順はランダムに決定されるようになっている。
【００８２】
プレーヤは空間の穴からキャラクタ７６が出現したら、瞬時に判断してメダル１４を撃つ。
【００８３】
キャラクタ７６にメダル１４が命中したら、キャラクタ７６は粉々に砕け、書かれている枚数分のメダル１４を貰えるようになっている。
【００８４】
また、「☆」に命中した場合には、画面上部に☆マーク７８を１個追加する。
【００８５】
なお、この☆マーク７８が１０個溜まるとボーナスゲームがスタートするようになっている。
【００８６】
ボーナスゲームでは、☆マーク７８が１０個溜まると、？と書かれたキャラクタが上部から大量に落下してくる。
【００８７】
キャラクタ７６が着地したのと同時に、１０秒間のタイマーがカウントダウンを開始するので、プレーヤはその間に出きる限り多くのキャラクタ７６をメダル１４で破壊する。
【００８８】
なお、キャラクタ７６はその場で静止している。
【００８９】
キャラクタ７６にメダル１４が命中すると、キャラクタ７６は粉々に砕け、５〜１０の数字、または「☆」を表示する。
【００９０】
数字が出た場合はその枚数のメダル１４をゲット、☆が出た場合はには画面上部に☆がストックされ、ボーナスゲーム終了後も引き継がれるようになっている。
また、ボーナスゲーム中に☆が１０個溜まった場合は、大量のメダルを獲得できる。
【００９１】
制限時間終了と同時に生き残ったキャラクタ７６は上部へと消え去り、ボーナスゲームが終了するようになっている。
【００９２】
図８〜図１１は、発射装置の他の実施の形態を示す図である。
【００９３】
この実施の形態においては、発射装置１００は前記実施の形態と同様に銃の形状を模したもので、図８に示すように、発射装置本体１０２とケース１０４とで構成されている。
【００９４】
発射装置本体１０２は、図９に示すように、メダル投入部１０６と、発射部１０８と、発射走行部１１０とを有している。
【００９５】
メダル投入部１０６は、メダル１１２を発射部１０８に装填するためのもので、メダル投入口１１４からメダル１１２を投入可能にされている。
【００９６】
また、このメダル投入部１０６には、正規のメダル１１２の外径よりも大きい大径メダル１１６の投入を排除するための大径メダル排除手段として機能する投入ガイド部材１１８及び投入口調整部材１２０が設けられている。
【００９７】
そして、これら投入ガイド部材１１８及び投入口調整部材１２０によってメダル投入口１１４の開口幅Ｗが正規のメダル１１２の大きさに設定され、大径メダル１１６がメダル投入口１１４に入らないようにされている。
【００９８】
従って、プレーヤが大径メダル１１６を投入していたずらするのを確実に防止することができる。
【００９９】
また、投入口調整部材１２０は、横方向にのびる長孔１２１を介して取り付けられ、この投入口調整部材１２０の取付け位置を横方向で調整することで、メダル投入口１１４を正規のメダル１１２の大きさに調整できるようにしている。
【０１００】
従って、種々の店舗において大きさの異なる正規のメダルを用いる場合に容易に対応できることとなる。
【０１０１】
発射部１０８は、前記実施の形態と同様に、メダル１１２を縦置きで装填するようになっており、この発射部１０８には、図１０に示すように、供給されたメダルが正規のメダル１１２の外径よりも小さい小径メダル１２２である場合に、小径メダル１２２を発射前に発射部１０８より外部へと排出する小径メダル排出手段１２４が設けられている。
【０１０２】
この小径メダル排出手段１２４は、図１１にも示すように、発射部１０８の一方の側面１２６に形成された小径メダル排出孔１２８と、小径メダル１２２対応位置の他方の側面１３０に設けられた排出部材としての排出ばね１３２とを有している。
【０１０３】
排出ばね１３２は、他方の側面１３０に横方向にわたって形成した窓部１３４より一方の側面１２６側に突出された状態となっており、発射部１０８内に供給されたメダル１１２、１２２の側面を小径メダル排出孔１２８方向に押し付けるようになっている。
【０１０４】
また、小径メダル排出孔１２８の開口高さｈは、開口高さ調整手段としての開口高さ調整部材１３６によって、正規のメダル１１２が通過しない高さに設定されている。
【０１０５】
従って、発射部１０８内に小径メダル１２２が供給された場合、小径メダル１２２は排出ばね１３２によって側面を小径メダル排出孔１２８側に押されることで、小径メダル排出孔１２８を通過して小径メダル排出孔１２８より外部へと排出されることとなる。
【０１０６】
このように、小径メダル１２２が投入された場合に、その小径メダル１２２を外部に排出することで、小径メダル１２２を用いたいたずらを確実に防止することができる。
【０１０７】
また、開口高さ調整部材１３６は、縦方向にのびる長孔１３８を介して取り付けられ、この開口高さ調整部材１３６の取付け位置を縦方向で調整することで、小径メダル排出孔１２８の開口高さを正規のメダル１１２の大きさに調整できるようになっている。
【０１０８】
従って、種々の店舗において大きさの異なる正規のメダルを用いる場合に容易に対応できることとなる。
【０１０９】
また、発射部１０８の後側には、図８及び図９に示すように、発射部１０８に装填されたメダル１１２を押し出して発射する押出し手段１４０が設けられている。
【０１１０】
この押出し手段１４０は、押出し部１４２と、引き金部１４４が一体に形成された状態となっており、ピン１４６を中心に回転可能に取り付けられているとともに、引き金部１４４側でスプリング１４７を介し後方に付勢された状態となっている。
【０１１１】
そして、引き金部１４４を矢印Ａ方向に引くことによってスプリング１４７の付勢力に抗し、押出し部１４２が図中Ｂ方向に移動してメダル１１２を押し出すようになっている。
【０１１２】
また、発射部１０８には、上部に押付け手段としての押付けローラ１４８が設けられ、下部にはメダル１１２の滑りを防止する滑り止め手段として滑り止めゴム１６０が設けられている。
【０１１３】
押付けローラ１４８は、ピン１５０を介して上下方向に回転可能に取り付けられており、スプリング１５２を介して下方に付勢された状態となっている。
【０１１４】
そして、押出し手段１４０によってメダル１１２が押付けローラ１４８位置まで押し出されると、メダル１１２の上部が押付けローラ１４８に押し付けられ、押出し手段１４０による押出し力をため込む状態となり、さらに押出し手段１４０によってメダル１１２が押し出されると、スプリング１５２の付勢力に抗し、押付けローラ１４８がピン１５０を中心に上方に押し上げられ、メダル１１２が押付けローラ１４８を乗り越えて勢いよく発射されるようになっている。
【０１１５】
この場合、発射されたメダル１１２が他方の側面１３０に形成した小径メダル排出孔１２８の開口縁にぶつからないように、この開口縁に横Ｖ字状の切欠き部１５４を形成してメダル１１２がスムースに発射されるようにしている。
【０１１６】
発射走行部１１０は、発射部１０８から発射されたメダル１１２を走行可能に、所定の長さに設定されている。
【０１１７】
ケース１０４は、グリップ部１５６を一体に有し、メダル投入部１１４側から発射部１０８及び発射走行部１１０の一部を覆うようにされている。
【０１１８】
また、ケース１０４の発射部１０８と対応する下部側には、小径メダル排出手段１２４により排出された小径メダル１２２を貯留するための貯留部１５８が形成されている。
【０１１９】
このように、小径メダル排出手段１２４により排出された小径メダル１２２を貯留部１５８に貯留することで、排出された小径メダル１２２が再度使用されるのを防止することが可能となる。
【０１２０】
他の構成及び作用は、前記実施の形態と同様につき、説明を省略する。
【０１２１】
本発明は、前記実施の形態に限定されるものではなく、本発明の要旨の範囲内において種々の形態に変形可能である。
【０１２２】
例えば、前記実施の形態では、押付け手段として上下方向で回動可能な押付けローラを示したが、この例に限らず、弾性部材を固定して設けるようにすることも可能である。
【０１２３】
また、ディスプレイの画面をハーフミラーにて反射表示するようにしているが、不透明の反射板を用いることも可能である。
【０１２４】
さらに、ゲームの内容は、前記第１及び第２のゲームに限らず、種々のゲームを採用することができる。
【０１２５】
また、滑り止め手段として、滑り止めゴムを用いたが、滑り止めの機能を有するものであれば、細かな溝等種々のものを採用することができる。
【０１２６】
さらに、前記実施の形態では、メダルを押付け手段により押し付けた状態で押出し手段により押し出すようにしているが、この例に限らず、例えば、メダルを発射部内で位置決め手段として機能する排出ばねによりある程度位置決めした状態で、後方からパチンコ機のようにたたいて撃ち出すような発射手段を用いる構成とすることも可能である。
【図面の簡単な説明】
【図１】  本発明の一実施の形態に係るメダルゲーム装置を示す全体斜視図である。
【図２】  図１の概略縦断面図である。
【図３】  図１及び図２に示す発射装置の側面図である。
【図４】  図３の右側から見た側面図である。
【図５】  本実施の形態に係るメダルゲーム装置の機能ブロック図である。
【図６】  第１のゲームの表示画面を示す図である。
【図７】  第２のゲームの表示画面を示す図で、（１）はノーマルゲームの表示画面、（２）はボーナスゲームの表示画面を示している。
【図８】  本発明の発射装置の他の実施の形態を示す全体概略図である。
【図９】  図８の発射装置本体の内部構造を示す側面図である。
【図１０】  小径メダル排出手段の拡大側面図である。
【図１１】  図１０のＸＩ−ＸＩ線に沿う断面図である。
【符号の説明】
１０  メダルゲーム装置
１４、１１２  メダル
１６、１００  発射装置
１８  ハーフミラー
２４、１０８  発射部
３０、１４０  押出し手段
３２、１４２  押出し部
４０、１４８  押付けローラ
４２  滑り止めゴム
５０  ディスプレイ
５２  プレーヤ
５６  検出手段
６６  制御部
６８  結果判定部
１０２  発射装置本体
１０６  メダル投入部
１１４  メダル投入口
１１６  大径メダル
１１８  投入ガイド部材
１２０  投入口調整部材
１２２  小径メダル
１２４  小径メダル排出手段
１２６  一方の側面
１２８  小径メダル排出孔
１３０  他方の側面
１３２  排出ばね
１３４  窓部
１３６  開口高さ調整部材
【図１】
0003790085.tif 000002
【図２】
0003790085.tif 000003
【図３】
0003790085.tif 000004
【図４】
0003790085.tif 000005
【図５】
0003790085.tif 000006
【図６】
0003790085.tif 000007
【図７】
0003790085.tif 000008
【図８】
0003790085.tif 000009
【図９】
0003790085.tif 000010
【図１０】
0003790085.tif 000011
【図１１】
0003790085.tif 000012